(57)【特許請求の範囲】
【請求項１】
遊技盤の裏面に開閉自在に装着される合成樹脂製の機構板と、該機構板の裏面上部に装着される球タンクと、該球タンクの下方に装着され、その球タンクのパチンコ球を整列して流下させるタンクレールと、該タンクレールを流下するパチンコ球をその球圧を弱めながらパチンコ球払出装置へ導くカーブレールとを備え、
前記タンクレールは、機構板に当接する後側壁と底部および前側壁とにより断面コ字形に形成されると共に、底部に仕切壁を設けて複数の球通路が形成されており、前記カーブレールは通路部材の間に仕切板を重ね合わせてタンクレールの球通路にそれぞれ連通する複数の屈曲球通路が形成されているパチンコ機において、
前記タンクレールは、前側壁の下流端部分の高さがパチンコ球の直径の２倍以上になるように形成されており、仕切壁は上流側から下流側にかけて次第に高くなるように形成されると共に、その下流端部分の高さがパチンコ球の直径とほぼ同じか若干低くなるように形成されており、
前記カーブレールは、上流端部分の前側壁および仕切板の高さがタンクレールの前側壁の下流端部分の高さとほぼ同じに形成されると共に、その上流端部分の屈曲球通路上面を開放して球逃し部を形成し、さらにタンクレールの仕切壁より上方に突出する仕切板の上流側端縁がタンクレールに向かって傾斜しかつ両側にテーパー部を有する球崩し作用部として形成されていることを特徴とするパチンコ機。
【発明の詳細な説明】
【０００１】
【産業上の利用分野】
本発明はパチンコ機に関し、特に球タンクのパチンコ球がタンクレールの下流端部分で球詰りを起こさないようにして該球タンクのパチンコ球を円滑にパチンコ球払出装置へ供給することができるようにしたパチンコ機に関するものである。
【０００２】
【従来の技術】
従来のパチンコ機は、遊技盤の裏面に球タンクが配設され、該球タンクのパチンコ球をタンクレール，カーブレールを介してパチンコ球払出装置に供給するようにしている。ところで、このタンクレールは図８に示すように該タンクレール１００の前側壁１０１の下流端部分の高さＨがパチンコ球１個ぶん程度に低く形成されており、かつパチンコ球が重なって流下しないようにその流下端近くの上方に平板状の整流板１０２が軸１０３により揺動自在に軸支されている。
【０００３】
【発明が解決しようとする課題】
従来のパチンコ機にあっては、タンクレール１００のパチンコ球が重なって流下するとその重なったパチンコ球が整流板１０２の軸１０３につかえて流れなくなり、そのため底部１０４に位置するパチンコ球と衝合し合って球詰りが起きるという問題点があった。一方、タンクレール１００に整流板１０２を設けないようにすると該タンクレール１００を重なって流下するパチンコ球がカーブレール１０５の上流端部分の底部１０６と上面壁１０７との間で衝合し合ってさらに球詰りが増えるという問題点があり、その解決策が強く要望されていた。
【０００４】
本発明は、従来技術の有するこのような問題点にかんがみてなされたものであり、その目的とするところは、整流板を不要とすると共に、タンクレールをパチンコ球が重なって流下しても球詰りが起きないようにして球タンクのパチンコ球を円滑にパチンコ球払出装置へ供給することができるようなパチンコ機を提供しようとするものである。
【０００５】
【課題を解決するための手段】
上記目的を達成するために、本発明は、遊技盤の裏面に開閉自在に装着される合成樹脂製の機構板と、該機構板の裏面上部に装着される球タンクと、該球タンクの下方に装着され、その球タンクのパチンコ球を整列して流下させるタンクレールと、該タンクレールを流下するパチンコ球をその球圧を弱めながらパチンコ球払出装置へ導くカーブレールとを備え、前記タンクレールは、機構板に当接する後側壁と底部および前側壁とにより断面コ字形に形成されると共に、底部に仕切壁を設けて複数の球通路が形成されており、前記カーブレールは通路部材の間に仕切板を重ね合わせてタンクレールの球通路にそれぞれ連通する複数の屈曲球通路が形成されているパチンコ機において、前記タンクレールは、前側壁の下流端部分の高さがパチンコ球の直径の２倍以上になるように形成されており、仕切壁は上流側から下流側にかけて次第に高くなるように形成されると共に、その下流端部分の高さがパチンコ球の直径とほぼ同じか若干低くなるように形成されており、前記カーブレールは、上流端部分の前側壁および仕切板の高さがタンクレールの前側壁の下流端部分の高さとほぼ同じに形成されると共に、その上流端部分の屈曲球通路上面を開放して球逃し部を形成し、さらにタンクレールの仕切壁より上方に突出する仕切板の上流側端縁をタンクレールに向かって傾斜しかつ両側にテーパー部を有する球崩し作用部として形成したものである。
【０００６】
【作用】
タンクレールの下流端部分の高くした前側壁は、該タンクレールを重なって流下するパチンコ球が外へ零れ落ちるのを防ぐように働く。また、カーブレールの上流端に位置する仕切板の傾斜状の球崩し作用部は、タンクレールを重なって流下するパチンコ球を接触させてカーブレールの屈曲球通路に徐々に割込ませることにより、パチンコ球の流下を円滑にして球詰りを起こすのを未然に防ぐように機能する。さらに、カーブレールの上流端部分の球逃し部は、球崩し作用部に重なって屈曲球通路への割込みを待つパチンコ球を一時的に上方へ逃がすことができ、その結果球通路でパチンコ球が互いに衝合し合って球詰りを起こすのを未然に防止するように働く。
【０００７】
【実施例】
以下、本発明の一実施例を図面を参照して説明する。図１は本発明に係るパチンコ機の裏面図である。図において、１はパチンコ機の前面枠、２は前面枠１の裏面に着脱自在に取付けられる遊技盤、３は遊技盤２の裏面に開閉可能に装着された合成樹脂製の機構板である。この機構板３の裏面上部には球タンク４が設けられている。球タンク４の下方には該球タンク４のパチンコ球を整列して導き出すタンクレール５が設けられており、該タンクレール５の下流端は、カーブレール６を介してパチンコ球払出装置７に接続されている。このため、球タンク４に貯留されるパチンコ球はタンクレール５，カーブレール６により整列されながらパチンコ球払出装置７に連続して供給される。
【０００８】
前記タンクレール５は、図２および図３に示すように合成樹脂により機構板３に当接する後側壁８と底部９および前側壁１０とにより上面が開口した樋状に形成されると共に、底部９には長手方向に仕切壁１１を設けて２条の球通路１２が形成されている。なお、前後側壁８，１０および仕切壁１１の下流側端縁は上流側に向けて傾斜されている。また、前側壁１０の下流端部分の高さｈはパチンコ球の直径の２倍以上に選ばれる。さらに、仕切壁１１は上流側から下流側にかけて次第に高くなるように形成されており、かつその下流端部分の高さｈ１はパチンコ球の直径とほぼ同じか若干低くなるように選ばれる。
【０００９】
前記カーブレール６は図４に示すように蛇行する屈曲球通路１４と後側壁１５からなる第１通路部材２３および屈曲球通路１６と前側板１７からなる第２通路部材２４との間に仕切板１８を重ね合わせて形成され、これらを複数のビス２６で締着して一体に組立てられる。なお、前記各屈曲球通路１４，１６にはパチンコ球の有無を検出する機能を備えた検知レバー２５，２５および該検知レバー２５，２５の動作を検知する検知スイッチ２１と球抜き装置２２が設けられている。
【００１０】
前記カーブレール６の前後側板１５，１７および仕切板１８の上流側端縁は、タンクレール５の前後側壁８，１０および仕切壁１１の下流側端縁にそれぞれ合致するようにタンクレール５に向けて傾斜状に形成されており、タンクレール５との接続を容易ならしめている。そして、カーブレール６の上流側端部に位置する前後側板１５，１７および仕切板１８は、その上端がタンクレール５の前側壁１０とほぼ同じ高さ位置となるように形成されている。また、タンクレール５の仕切壁１１より上方に突出する仕切板１８の上流側端縁は、両側にテーパー部１９ａ，１９ａを有する断面Ｖ字状に形成して球崩し作用部１９とされており、さらにカーブレール６の上流側端部に位置する屈曲球通路１４，１６の上面部分は開放されて球逃し部２０として形成されている。
【００１１】
このように構成された本実施例のパチンコ機は、球タンク４のパチンコ球がタンクレール５の球通路１２を重なって流下しても高くしたタンクレール５の前側壁１０およびカーブレール６の前側板１７によって外へ零れ落ちることを防止することができる。そしてタンクレール５を重なって流下するパチンコ球は該タンクレール５の下流端部分の仕切壁１１がパチンコ球の直径とほぼ同じか若干低くなるように形成されているために、その重なった上段のパチンコ球はタンクレール５の底部９に位置するパチンコ球の上を自由に動くことができ、さらにこの状態を維持しながらカーブレール６の上流端において仕切板１８の球崩し作用部１９に接触し、その傾斜とテーパー部１９ａ，１９ａにより徐々に屈曲球通路１４又は１６に割り込みながら流下することになる。一方、球逃し部２０は球崩し作用部１９において割り込みを待つパチンコ球が多く滞留している場合、これらの球圧を適当に分散して逃がすことができ、これによってパチンコ球どうしが衝合して球詰りを引き起こさないようにすることができる。
【００１２】
したがって、タンクレール５をパチンコ球が重なって流下するようなことがあっても該重なったパチンコ球がカーブレール６の上流端部分で衝合し合って球詰りを起こすようなことがなくなり、球タンク４のパチンコ球を確実かつスムーズにパチンコ球払出装置７に供給することができる。
【００１３】
【発明の効果】
以上、説明したところから明らかなように、本発明に係るパチンコ機は、球タンクのパチンコ球がタンクレールの球通路を重なって流下してもカーブレールの上流端においてその重なり球の球圧を球逃し部により適当に分散して逃がすと同時に球崩し作用部によってカーブレールの屈曲球通路に徐々に割り込ませながら流下させるものである。このため、カーブレールの上流端部分で球詰りを起こすようなことを防止することができ、球タンクのパチンコ球をパチンコ球払出装置へ確実かつ円滑に供給することができる。
【００１４】
また、従来のパチンコ機のように整流板を使用する必要がなくなるため部品点数を減らすことができ、作業性の向上，低コスト化に優れた効果を奏する。
【図面の簡単な説明】
【図１】本実施例に係わるパチンコ機の裏面図である。
【図２】要部の斜視図である。
【図３】タンクレールの斜視図である。
【図４】カーブレールの斜視図である。
【図５】要部の断面正面図である。
【図６】要部の平面図である。
【図７】要部の断面側面図である。
【図８】従来技術の説明図である。
【符号の説明】
２            遊技盤
３            機構板
４            球タンク
５            タンクレール
６            カーブレール
７            パチンコ球払出装置
８            後側壁
９            底部
１０          前側壁
１１          仕切壁
１２          球通路
１４          屈曲球通路
１５          後側壁
１６          屈曲球通路
１７          前側壁
１８          仕切板
１９          球崩し作用部
１９ａ        テーパー部
２０          球逃し部
２３，２４    通路部材
【図１】
0003570641.tif 000002
【図２】
0003570641.tif 000003
【図３】
0003570641.tif 000004
【図４】
0003570641.tif 000005
【図５】
0003570641.tif 000006
【図６】
0003570641.tif 000007
【図７】
0003570641.tif 000008
【図８】
0003570641.tif 000009